(57)【要約】      （修正有）【課題】簡単な構成により、ケースとカバーとの合わせ部分や結合部から筐体内への、浸水を防止すること。【解決手段】樹脂製のケース２０と、このケース２０の開口２０aを塞ぐ樹脂製のカバー３０と、からなる筐体１１に、電子部品５２を実装したプリント基板５０を収納した電子制御装置１０である。前記カバー３０は、前記ケース２０と前記カバー３０との合わせ部分及び結合部４０を覆うシール部７０を有している。このシール部７０は、前記カバー３０に一体に形成されてなる熱可塑性エストラマーによって構成されている。【選択図】図２
2019106451.tif 000002
【特許請求の範囲】
【請求項１】
樹脂製のケースと、このケースの開口を塞ぐ樹脂製のカバーと、からなる筐体に、電子部品を実装したプリント基板を収納した電子制御装置において、
前記カバーは、前記ケースと前記カバーとの合わせ部分及び結合部を覆うシール部を有し、
このシール部は、前記カバーに一体に形成されてなる熱可塑性エストラマーによって構成されていることを特徴とする電子制御装置。
【発明の詳細な説明】
【技術分野】
【０００１】
本発明は、筐体にプリント基板を収納した電子制御装置の改良技術に関する。
【背景技術】
【０００２】
電子制御装置において、筐体にプリント基板を収納した技術が各種提案されてきた（例えば特許文献１）。
【０００３】
特許文献１で知られている電子制御装置の筐体は、プリント基板を収納している。この筐体は、ケースとカバーとからなる二分割品である。ケースとカバーとは、スナップフィット構造の結合部によって結合されている。
【０００４】
このような電子制御装置の使用環境によっては、筐体が被水する（結露等による滴下環境を含む）こともあり得る。筐体が被水する場合には、ケースとカバーとの合わせ部分や結合部から筐体内への、浸水を防止するための、何らかの配慮が必要である。合わせ部分や結合部を防水構造にしたのでは、その構造が複雑になる。
【先行技術文献】
【特許文献】
【０００５】
【特許文献１】特開２０１２−６４８７４号公報
【発明の概要】
【発明が解決しようとする課題】
【０００６】
本発明は、簡単な構成により、ケースとカバーとの合わせ部分や結合部から筐体内への、浸水を防止することができる技術を、提供することを課題とする。
【課題を解決するための手段】
【０００７】
請求項１に係る発明は、樹脂製のケースと、このケースの開口を塞ぐ樹脂製のカバーと、からなる筐体に、電子部品を実装したプリント基板を収納した電子制御装置である。前記カバーは、前記ケースと前記カバーとの合わせ部分及び結合部を覆うシール部を有し、このシール部は、前記カバーに一体に形成されてなる熱可塑性エストラマーによって構成されていることを特徴とする。
【発明の効果】
【０００８】
請求項１に係る発明では、ケースとカバーとの合わせ部分及び結合部を、シール部により覆っている。シール部は、熱可塑性エストラマー製であるから柔軟性に富んでいるので、合わせ部分及び結合部を確実にシールすることができる。このため、筐体が被水した場合に、合わせ部分や結合部から筐体内への浸水を防止することができる。しかも、合わせ部分及び結合部を防水構造にする必要はない。従って、簡単な構成により、ケースとカバーとの合わせ部分や結合部から筐体内への、浸水を防止することができる。
【０００９】
さらには、熱可塑性エストラマー製のシール部は、カバーに一体に形成された構成、つまり二色成形によって一体化されている。このため、少ない工程によって、シール部をカバーに一体化することにより、１つの部材とすることができる。防水シート等の別個の防水部品を追加する必要もない。従って、筐体の組立工程を簡略化することができる。電子制御装置のコストダウンを図ることができる。
【図面の簡単な説明】
【００１０】
【図１】本発明による電子制御装置の構成図であり、（ａ）は電子制御装置の斜視図、（ｂ）は（ａ）のｂ−ｂ線に沿った断面図である。
【図２】図１に示される電子制御装置の分解した斜視図である。
【発明を実施するための形態】
【００１１】
本発明を実施するための形態を添付図に基づいて以下に説明する。図１及び図２に示されるように、電子制御装置１０は、筐体１１と、この筐体１１に収納されたプリント基板５０とからなる。筐体１１は、樹脂製（例えば硬質樹脂製）のケース２０と、このケース２０の開口２０ａを塞ぐ樹脂製（例えば硬質樹脂製）のカバー３０とからなる、二分割品である。
【００１２】
ケース２０とカバー３０は、有底の角箱状の部材であって、互いに開口を向かい合わせにして組立可能である。
【００１３】
ケース２０は、矩形（正方形を含む）を呈した平板状の底板２１と、この底板２１の周縁近傍から起立した環状の縦枠２２とからなる、一体成形品である。縦枠２２は、底板２１の周縁に沿った環状の縦板からなる。底板２１は、全周にわたって縦枠２２の外周縁よりも外方へ広がっており、この広がった部分を鍔部２３という。
【００１４】
同様に、カバー３０も、矩形（正方形を含む）の平板状の底板３１と、この底板３１の周縁から起立した環状の縦枠３２とからなる、一体成形品である。この縦枠３２は、底板３１の周縁に沿った環状の縦板からなる。ケース２０の縦枠２２は、カバー３０の縦枠３２内に嵌合可能である。この嵌合した縦枠２２，３２間のことを、「ケース２０とカバー３０との合わせ部分」という。
【００１５】
ケース２０とカバー３０とは、少なくとも１つの結合部４０によって取り外し可能に結合されている。この結合部４０は、例えば、ケース２０に形成されてなる係止爪部４１と、カバー３０に形成されてなる係止孔４２との、組み合わせのスナップフィット構造である。ケース２０の縦枠２２の一部には、この縦枠２２の板厚方向に弾性変形可能な弾性片４３が、一体に形成されてなる。係止爪部４１は、弾性片４３の先端の側面から外方へ突出している。一方、係止孔４２は、カバー３０の縦枠３２の一部を貫通した貫通孔の構成である。
【００１６】
ケース２０の縦枠２２をとカバー３０の縦枠３２内に差し込むことによって、係止爪部４１が係止孔４２に嵌合する。この結果、ケース２０とカバー３０とが一体化される。スナップフィット構造の結合部４０なので、ワンタッチで結合することができる。ビス止め等の余分な工程が不要なので、組立が容易である。
【００１７】
前記プリント基板５０は、コネクタ５１と電子部品５２とを実装している。ケース２０の縦枠２２とカバー３０の縦枠３２とには、コネクタ５１の差し込み口が露出するための切欠部６１が形成されてなる。電子制御装置１０は、筐体１１が被水する方向に対して逆向きに配置される。このため、水が切欠部６１から筐体１１内に浸入する心配はない。
【００１８】
カバー３０は、少なくとも、ケース２０とカバー３０との合わせ部分（縦枠２２，３２間）及び結合部４０を覆うシール部７０を有している。好ましくは、このシール部７０は、カバー３０の縦枠３２の外周面全体を覆った、弾性を有するシート状の部材である。但し、カバー３０の縦枠３２のなかの、コネクタ５１の差し込み口が露出する面は、シール部７０によって覆う必要がない。さらに、シール部７０の先端は、ケース２０とカバー３０とを組み合わせたときに、少なくともケース２０の鍔部２３に接触可能な範囲まで、延びている（図１参照）。
【００１９】
しかも、シール部７０は、カバー３０に一体に形成されてなる熱可塑性エストラマーによって構成されているので、柔軟性に富んでいる。例えばカバー３０とシール部７０とは、二色成形によって互いに一体に形成される。
【００２０】
図１に示されるように、ケース２０とカバー３０とが、結合部４０により一体に結合された状態では、シール部７０の先端は、ケース２０の鍔部２３に密接している。この結果、ケース２０とカバー３０との合わせ部分、つまり縦枠２２，３２間は、シール部７０によって覆われて、水密にシールされている。さらに、シール部７０は、結合部４０を覆って水密にシールしている。このため、電子制御装置１０が被水した場合に、筐体１１内に浸水する心配はない。
【００２１】
以上の説明をまとめると、次の通りである。少なくともケース２０とカバー３０との合わせ部分及び結合部４０を、シール部７０により覆っている。このシール部７０は、熱可塑性エストラマー製であるから柔軟性に富んでいるので、合わせ部分及び結合部４０を確実にシールすることができる。このため、筐体１１が被水した場合（結露等による滴下環境を含む）に、合わせ部分や結合部４０から筐体１１内への、浸水を防止することができる。しかも、合わせ部分及び結合部４０を防水構造にする必要はない。従って、簡単な構成により、ケース２０とカバー３０との合わせ部分や結合部４０から筐体１１内への、浸水を防止することができる。
【００２２】
さらには、熱可塑性エストラマー製のシール部７０は、カバー３０に一体に形成された構成、つまり二色成形によって一体化されている。このため、二色成形工程を追加するだけの少ない工程によって、シール部７０をカバー３０に一体化することにより、１つの部材とすることができる。防水シート等の別個の防水部品を追加する必要もない。従って、筐体１１の組立工程を簡略化することができる。電子制御装置１０のコストダウンを図ることができる。
【００２３】
なお、本発明では、ケース２０にシール部７０を有してもよい。その場合には、シール部７０は、ケース２０に一体に形成されてなる熱可塑性エストラマーによって構成される。
また、結合部４０は、スナップフィット構造に限定されるものではなく、例えばビス止め構造であってもよい。
【産業上の利用可能性】
【００２４】
本発明の電子制御装置１０は、自動車等の車両に搭載するのに好適である。
【符号の説明】
【００２５】
１０…電子制御装置、１１…筐体、２０…ケース、２０ａ…開口、３０…カバー、４０…結合部、５０…プリント基板、５２…電子部品、７０…シール部。
【図１】
2019106451.tif 000003
【図２】
2019106451.tif 000004